(57)【要約】【課題】  保温性を低下させることなく、布団内における身体の自由度を確保できる掛布団を提供する。【解決手段】表地と裏地とからなる袋体に充填材を充填してなる掛布団において、前記袋体内を区分けするように長手方向の中心線を挟んで対称に位置付けられる少なくとも一組の仕切りを幅方向の中心線を跨ぐように襟元側から足元側まで伸ばし、当該一組の仕切りの間隔が足元に近づくに伴って幅狭にすることによって布団内に使用者の身体に合った錐体状の空間が形成されるようにする。【選択図】  図３
2006305235.tif 000002
【特許請求の範囲】
【請求項１】
表地と裏地とからなる袋体に充填材を充填してなる掛布団において、前記袋体内を区分けするように長手方向の中心線を挟んで対称に位置付けられる少なくとも一組の仕切りが襟元側から足元側まで伸びており、当該一組の仕切りの間隔が足元に近づくに伴って幅狭になっていることを特徴とする掛布団。
【請求項２】
表地と裏地とからなる袋体に充填材を充填してなる掛布団において、前記袋体内を区分けするように長手方向の中心線を挟んで対称に位置付けられる複数組の仕切りが襟元側から足元側まで伸びており、当該複数組の仕切りの内で少なくとも一組の仕切りの間隔が足元に近づくに伴って幅狭になっており、当該一組の仕切りに対して他の組の仕切りが平行又は略平行になっていることを特徴とする掛布団。
【請求項３】
全ての組の仕切りの間隔が足元に近づくに伴って幅狭になっている請求項２記載の掛布団。
【発明の詳細な説明】
【技術分野】
【０００１】
本発明は、掛布団に関するものである。
【背景技術】
【０００２】
周知の通り、人が就寝中に繰り返す「寝返り」は、体重によって圧迫された身体の部分的痛みや血行不良を和らげる役割を果たしており、快眠を得るためには不可欠な行為と言われている。ところが、寝返りを繰り返すと、掛布団と身体との間に大きな隙間が生じ、この隙間から冷たい外気が侵入して布団内の温度が低下し、風邪をひく原因になる。このため、従来から寝返りを繰り返しても、身体との間に隙間が生じないように改良を施した掛布団が多数開発されている。
【０００３】
例えば、後出特許文献１には、充填材を充填してなる掛布団において、掛布団の長手方向の中心線又は幅方向の中心線に向かって膨らむ曲線状であって、前記の中心線にて線対称の対をなす仕切線を施したことフィット性を向上させた掛布団が開示されている。
【０００４】
また、後出特許文献２には、両側部と下部に中央に向けて山形の互いに交叉しないアーチ状キルティングを形成した掛布団とを具備した身体に密着して熱を逃さないようにすることにより保温性を高めた掛布団が開示されている。
【０００５】
ところで、掛布団の身体に対する密着性が向上すればするほど、布団内への外気の侵入を減らすことができるが、これとは反対に布団内における身体の自由度は制限され、快眠に不可欠な寝返りを行い難くなる。
【特許文献１】特開２００３−３３９５０１
【特許文献２】特開２００４−１６００６３
【発明の開示】
【発明が解決しようとする課題】
【０００６】
そこで、本発明者は、保温性を低下させることなく、布団内における身体の自由度を確保できる掛布団を得ることを技術的課題として、その具現化をはかるべく、試作・実験を繰り返した結果、表地と裏地とからなる袋体に充填材を充填してなる掛布団において、前記袋体内を区分けするように長手方向の中心線を挟んで対称に位置付けられる少なくとも一組の仕切りを襟元側から足元側まで伸ばし、当該一組の仕切りの間隔が足元に近づくに伴って幅狭すれば、使用時に掛布団内に身体形状に合った錐体状の空間が形成されるため、身体の自由度が確保されると共に、保温性も低下しないという刮目すべき知見を得、前記技術的課題を達成したものである。
【課題を解決するための手段】
【０００７】
前記技術的課題は、次の通りの本発明によって解決できる。
【０００８】
即ち、本発明に係る掛布団は、表地と裏地とからなる袋体に充填材を充填してなる掛布団において、前記袋体内を区分けするように長手方向の中心線を挟んで対称に位置付けられる少なくとも一組の仕切りが襟元側から足元側まで伸びており、当該一組の仕切りの間隔が足元に近づくに伴って幅狭になっているものである。
【０００９】
また、本発明に係る掛布団は、表地と裏地とからなる袋体に充填材を充填してなる掛布団において、前記袋体内を区分けするように長手方向の中心線を挟んで対称に位置付けられる複数組の仕切りが襟元側から足元側まで伸びており、当該複数組の仕切りの内で少なくとも一組の仕切りの間隔が足元に近づくに伴って幅狭になっており、当該一組の仕切りに対して他の組の仕切りが平行又は略平行になっているものである。
【００１０】
また、本発明は、前記掛布団において、全ての組の仕切りの間隔が足元に近づくに伴って幅狭になっているものである。
【００１１】
また、本発明における別の実施の形態は、前記いずれかの掛布団において、いずれの仕切りも幅方向の中心線を跨ぐように伸びているものである。
【発明の効果】
【００１２】
本発明によれば、長手方向の中心線を挟んで対称に位置付けられる少なくとも一組の仕切りを襟元側から足元側まで伸ばし、当該一組の仕切りの間隔が足元に近づくに伴って幅狭になるようにしたので、掛布団内に身体形状に合った錐体状の空間が形成され、掛布団の重みによる圧迫感が軽減される。これにより、掛布団内において身体の自由度が確保され、使用者は布団内においてスムーズに身体を回転させることができ、快眠に不可欠な寝返りを阻害されない。また、掛布団内の空間形状が身体形状に合った錐体状であるため、掛布団と身体との間に隙間が生じ難く、外気の侵入が防止される。
【００１３】
従って、本発明の産業上利用性は非常に高いといえる。
【発明を実施するための最良の形態】
【００１４】
以下、本発明の実施の形態を図面に基づき説明する。
【００１５】
実施の形態１．
【００１６】
図１は本実施の形態に係る掛布団を示した平面図である。図２は図１に示す掛布団の仕切りを示した部分断面図である。図３は図１に示す掛布団の使用状態を示した斜視図である。図４は図３に示す掛布団をＡ，Ｂ，Ｃ箇所で切断した端面図であり、図４の（ａ）は図３に示す掛布団をＡ箇所にて切断した端面図であり、図４の（ｂ）は図３に示す掛布団をＢ箇所にて切断した端面図であり、図４の（ｃ）は図３に示す掛布団をＣ箇所にて切断した端面図である。これらの図において、１は、表地２と裏地３とを縫合してなる袋体４と、袋体４内に充填される羽毛（図示せず）とからなる掛布団である。なお、本発明において、長手方向とは襟元５から足元６へ向かう方向を示し、幅方向とは長手方向と直交する方向を示している。
【００１７】
袋体４には、袋体４内を幅方向に区分けするように、長手方向の中心線Ｘを挟んで対称に位置付けられる二組の仕切り７，８が設けられている。そして、内側に位置する一組の仕切り７ａ，７ｂは、幅方向の中心線Ｙを跨ぐように襟元５から足元６まで伸びており、両仕切り７ａ，７ｂの間隔は、足元６へ向かうに伴って幅狭になり、幅方向の中心線Ｙに対して足元６側にて合致した後に長手方向の中心線Ｘに沿って伸びている。外側に位置する一組の仕切り８ａ、８ｂは、幅方向の中心線Ｙを跨ぐように襟元５から足元６まで伸びており、内側に位置する一組の仕切り７ａ，７ｂに対して略平行になっている。
【００１８】
また、袋体４には、袋体４内を長手方向に区分けするように、長手方向に対して等間隔に位置付けられる四本の仕切り９が幅方向に伸びるように設けられている。
【００１９】
仕切り７，８，９は、図２に示すように、表地２と裏地３との間にコの字状の襠片１０を介在させて、襠片１０の上辺を表地２に縫合すると共に、下辺を裏地３に縫合することによって袋体４に固定されている。
【００２０】
次に、本実施の形態に係る掛布団１の使用状態を説明する。
【００２１】
図３及び図４に示すように、使用者に掛布団１を掛けると、使用者の上半身の厚みにより、掛布団１の内側に位置する一組の仕切り７ａ，７ｂによって囲まれた逆三角形状の区画１１が持ち上げられた状態となる。この時、内側に位置する一組の仕切り７ａ，７ｂと外側に位置する一組の仕切り８ａ，８ｂとによって挟まれた区画１２ａ，１２ｂが逆三角形状の区画１１を支えるように立ち上がる（図４の（ａ）及び図４の（ｂ）参照）。これによって、使用者の上半身は錐体状の空間に収まった状態となる。
【００２２】
また、使用者の下半身の厚みにより、掛布団１の内側に位置する仕切り７ａ，７ｂと外側に位置する仕切り８ａ，８ｂとによって挟まれた区画１２ａ，１２ｂが内側に位置する仕切り７における長手方向の中心線に沿って伸びる部分を持ち上げるように立ち上がる（図４の（ｃ）参照）。これによって、使用者の下半身は柱状の空間に収まった状態となる。
【００２３】
本実施の形態に係る掛布団によれば、使用時に掛布団内に使用者の身体形状に合った錐体状の空間が形成されるため、掛布団の重みから生じる圧迫感が軽減され、使用者は掛布団内においてスムーズに身体を動かすことができる。また、当該空間形状が身体形状とほぼ一致しているため、掛布団と身体との間に隙間が形成され難く、外気の侵入が防止される。
【００２４】
実施の形態２．
【００２５】
本実施の形態は前記実施の形態１の袋体に設けられた仕切りの変形例であり、図５は本実施の形態に係る掛布団を示した平面図である。この図において、図１〜図４と同一符号は同一又は相当部分を示している。
【００２６】
本実施の形態に係る掛布団１の袋体４には、図５に示すように、袋体４内を幅方向に区分けするように長手方向の中心線Ｘを挟んで対称に位置付けられる二組の仕切り１３，１４が設けられている。そして、内側に位置する一組の仕切り１３ａ，１３ｂは、幅方向の中心線Ｙを跨ぐように襟元５から足元６まで伸びており、両仕切り１３ａ，１３ｂの間隔は、足元６に近づくに伴って幅狭になっている。外側に位置する一組の仕切り１４ａ，１４ｂは、幅方向の中心線Ｙを跨ぐように襟元５から足元６まで伸びており、内側に位置する一組の仕切り１３ａ，１３ｂに対して略平行になっている。
【００２７】
また、袋体４には、袋体４内を長手方向に区分けするように、長手方向に対して等間隔に位置付けられる四本の仕切り９が幅方向に伸びるように設けられている。各仕切り９は、僅かに足元６側へ向かって湾曲した形状になっている。
【００２８】
本実施の形態に係る掛布団１を使用者に掛けると、使用者１の身体の厚みにより、掛布団１の内側に位置する一組の仕切り１３ａ，１３ｂによって囲まれた台形状の区画１５が持ち上げられた状態となる。この時、内側に位置する一組の仕切り１３ａ，１３ｂと外側に位置する一組の仕切り１４ａ，１４ｂとによって挟まれた区画１６ａ，１６ｂが台形状の区画１５を支えるように立ち上がる。これによって、使用者の身体は切頭錐体状の空間に収まった状態となる。
【００２９】
本実施の形態に係る掛布団においても、前記実施の形態１と同様の作用・効果を得ることができる。
【００３０】
実施の形態３．
【００３１】
図６は本実施の形態に係る掛布団を示した平面図である。図７は図６に示す掛布団の仕切りを示した部分断面図である。これらの図において、図１〜図４と同一符号は同一又は相当部分を示している。１は、表地２と裏地３とを縫合してなる袋体４と、袋体４内に充填されるポリエステル繊維綿（図示せず）とからなる掛布団である。
【００３２】
袋体４には、袋体４内を幅方向に区分けするように長手方向の中心線Ｘを挟んで対称に位置付けられる三組の仕切り１７，１８，１９が設けられている。そして、最も内側に位置する一組の仕切り１７ａ，１７ｂは、幅方向の中心線Ｙを跨ぐように襟元５付近から足元６付近まで伸びており、両仕切り１７ａ，１７ｂは、幅方向の中心線Ｙに対して足元６側にて交差している。また、最も外側に位置する一組の仕切り１９ａ，１９ｂは、幅方向の中心線Ｙに対して足元６側において長手方向に伸びており、両仕切り１９ａ，１９ｂは、足元６に近づくに伴って間隔が幅狭になっていると共に、足元６側の先端が最も内側に位置する一組の仕切り１７ａ，１７ｂと合致している。さらに、最も内側に位置する一組の仕切り１７ａ，１７ｂと最も外側に位置する一組の仕切り１９ａ，１９ｂとの中間に位置する仕切り１８ａ，１８ｂは、幅方向の中心線Ｙを跨ぐように襟元５付近から足元６付近まで伸びており、両仕切り１８ａ，１８ｂは、足元６に近づくに伴って幅狭となり、足元６付近にて合致している。
【００３３】
仕切り１７，１８，１９は、図７に示すように、表地２と裏地３とを直接縫製してなるキルティングからなっており、袋体４に充填されたポリエステル繊維綿と共に縫合されている。
【００３４】
本実施の形態に係る掛布団１を使用者に掛けると、使用者の身体の厚みにより、掛布団の内側に位置する一組の仕切り１７ａ，１７ｂによって囲まれた略逆三角形状の区画２０が持ち上げられた状態となる。この時、内側に位置する一組の仕切り１７ａ，１７ｂと中間に位置する一組の仕切り１８ａ，１８ｂとによって挟まれた区画２１ａ，２１ｂが略逆三角形状の区画２０を支えるように立ち上がる。これによって、使用者の身体は錐体状の空間に収まった状態となる。
【００３５】
本実施の形態に係る掛布団においても、前記実施の形態１と同様の作用・効果を得ることができる。
【００３６】
実施の形態４．
【００３７】
本実施の形態は前記実施の形態３の袋体に設けられた仕切りの変形例であり、図８は本実施の形態に係る掛布団を示した平面図である。この図において、図１〜図４と同一符号は同一又は相当部分を示している。
【００３８】
本実施の形態に係る掛布団１の袋体４には、袋体４内を幅方向に区分けするように、長手方向の中心線Ｘを挟んで対称に位置付けられる四組の仕切り２２，２３，２４，２５が設けられている。最も外側に位置する一組の仕切り２５ａ，２５ｂは、幅方向の中心線Ｙに対して足元６側において長手方向に伸びており、足元６に近づくに伴って間隔が幅狭になっている。また、他の組の仕切り２２，２３，２４は、いずれも幅方向の中心線Ｙを跨ぐように襟元５付近から足元６付近まで伸びている。そして、他の組の仕切り２２，２３，２４において、最も内側に位置する仕切り２２ａ，２２ｂは、足元６に近づくに伴って間隔が幅狭になって足元６付近にて合致しており、また、二番目に内側に位置する仕切り２３ａ，２３ｂは、足元６に近づくに伴って間隔が幅狭になって足元６付近にて交差しており、さらに、三番目に内側に位置する仕切り２４ａ，２４ｂは、足元６に近づくに伴って間隔が幅狭になって足元６付近にて二番目に内側に位置する仕切り２３ａ，２３ｂの足元６側の先端と合致している。なお、いずれの一組の仕切りも平行になっている。
【００３９】
本実施の形態に係る掛布団１を使用者に掛けると、使用者の身体の厚みにより、掛布団１の最も内側に位置する一組の仕切り２２ａ，２２ｂによって囲まれた略逆三角形状の区画２６が持ち上げられた状態となる。この時、最も内側に位置する一組の仕切り２２ａ，２２ｂと二番目に内側に位置する一組の仕切り２３ａ，２３ｂとによって挟まれた区画２７ａ、２７ｂが立ち上がると共に、使用者の体格によって、二番目に内側に位置する一組の仕切り２３ａ，２３ｂと三番目に内側に位置する一組の仕切り２４ａ，２４ｂとによって挟まれた区画２８ａ，２８ｂが選択的に立ち上がって略逆三角形状の区画２６を支える。これによって、使用者の身体は錐体状の空間に収まった状態となる。
【００４０】
本実施の形態に係る掛布団においては、使用者の体型によって、二番目に内側に位置する一組の仕切りと三番目に内側に位置する一組の仕切りとによって挟まれた区画が選択的に立ち上がるため、より使用者の身体に合った形状の空間が掛布団内に形成される。
【００４１】
なお、本実施の形態に係る掛布団においても、前記実施の形態１と同様の作用・効果を得ることができる。
【００４２】
本発明における充填材としては、羽毛やポリエステル繊維綿に限定されず、羊毛、木綿綿などを使用してもよい。
【図面の簡単な説明】
【００４３】
【図１】実施の形態１に係る掛布団を示した平面図である。
【図２】図１に示す掛布団の仕切りを示した部分断面図である。
【図３】図１に示す掛布団の使用状態を示した斜視図である。
【図４】図３に示す掛布団をＡ，Ｂ，Ｃ箇所で切断した端面図である。
【図５】実施の形態２に係る掛布団を示した平面図である。
【図６】実施の形態３に係る掛布団を示した平面図である。
【図７】図６に示す掛布団の仕切りを示した部分断面図である。
【図８】実施の形態４に係る掛布団を示した平面図である。
【符号の説明】
【００４４】
１  掛布団
２  表地
３  裏地
４  袋体
５  襟元
６  足元
７，８，１３，１４，１７，１８，１９，２２，２３，２４，２５  仕切り
９  仕切り
１０  襠片
１１，１２，１５，１６，２０，２１，２６，２７，２８  区画
【図１】
2006305235.tif 000003
【図２】
2006305235.tif 000004
【図３】
2006305235.tif 000005
【図４】
2006305235.tif 000006
【図５】
2006305235.tif 000007
【図６】
2006305235.tif 000008
【図７】
2006305235.tif 000009
【図８】
2006305235.tif 000010